(57)【要約】【課題】発光ダイオード電球を提供する。【解決手段】第１調整部材及び第２調整部材を含むランプシェルと、第２調整部材に設けられ、且つ第２調整部材につれて移動できる光源モジュールと、ランプシェルに設けられたランプシェードと、ランプシェルに設けられたランプキャップと、を備え、前記第１調整部材は、第１係合構造、第１係合構造に位置する第１作用面及び第２作用面を含み、前記第２調整部材は、第１調整部材に対して移動して、第１位置又は第２位置に固定可能であり、前記第２調整部材は、第１係合構造に対応する第２係合構造を含み、前記第２係合構造は、第２調整部材が第１位置に固定された場合に第２作用面にぴったりと当接する上当接面と、第２調整部材が第２位置に固定された場合に第１作用面にぴったりと当接する下当接面とを有する、発光ダイオード電球である。【選択図】図１
2015097189.tif 000002
【特許請求の範囲】
【請求項１】
軸心を有する発光ダイオード電球であって、
第１調整部材及び第２調整部材を含むランプシェルと、
前記第２調整部材に設けられ、且つ前記第２調整部材につれて前記軸心に沿って移動する光源モジュールと、
前記ランプシェルの頂端に設けられ、前記光源モジュールに覆って設けられたランプシェードと、
前記ランプシェルの底端に固定されたランプキャップと、
を備え、
前記第１調整部材は、少なくとも１つの第１係合構造、それぞれ前記少なくとも１つの第１係合構造の上下側にある第１作用面及び第２作用面を含み、
前記第２調整部材は、前記軸心に沿って前記第１調整部材に対して移動して、第１位置又は第２位置に固定可能であり、前記第２調整部材は、前記少なくとも１つの第１係合構造に対応する少なくとも１つの第２係合構造を含み、前記第２係合構造は、前記第２調整部材が前記第１位置に固定された場合に前記第２作用面にぴったりと当接する上当接面と、前記第２調整部材が前記第２位置に固定された場合に前記第１作用面にぴったりと当接する下当接面とを有する、発光ダイオード電球。
【請求項２】
前記第１作用面及び前記第２作用面の何れも、前記少なくとも１つの第１係合構造を離れる部分から前記少なくとも１つの第１係合構造に近づいた部分まで下へ向かって傾斜する斜面である、請求項１に記載の発光ダイオード電球。
【請求項３】
前記第１作用面及び前記第２作用面の何れも、前記少なくとも１つの第１係合構造を離れる部分から前記少なくとも１つの第１係合構造に近づいた部分まで下へ向かって傾斜する曲面である、請求項１に記載の発光ダイオード電球。
【請求項４】
前記少なくとも１つの第１係合構造は、凹溝であり、前記少なくとも１つの第２係合構造は、バンプである、請求項１に記載の発光ダイオード電球。
【請求項５】
前記光源モジュールは、
前記第２調整部材に固定されており、前記第２調整部材が前記第１位置に固定された場合に前記第１作用面の上方に突き当たるフランジを有するランプホルダーと、
前記ランプホルダーに設けられた少なくとも１つの発光ダイオードモジュールと、
を含む、請求項１に記載の発光ダイオード電球。
【請求項６】
前記第２調整部材は、延伸部を含み、前記第１調整部材は、環状構造であり、前記第１調整部材は、前記延伸部に覆設されている、請求項１に記載の発光ダイオード電球。
【請求項７】
前記第１調整部材は、前記第１調整部材の外壁との間に収容空間が形成された止め壁を更に含み、前記ランプシェードの底縁が前記収容空間の中に設けられている、請求項６に記載の発光ダイオード電球。
【請求項８】
前記少なくとも１つの第１係合構造は、前記止め壁に設けられている、請求項７に記載の発光ダイオード電球。
【請求項９】
ランプホルダー及び前記ランプキャップの材料は、金属である、請求項１に記載の発光ダイオード電球。
【請求項１０】
前記第１調整部材及び前記第２調整部材の材料は、熱伝導プラスチックである、請求項１に記載の発光ダイオード電球。
【発明の詳細な説明】
【技術分野】
【０００１】
本発明は、電球に関し、特に、発光ダイオード電球に関する。
【背景技術】
【０００２】
発光ダイオード（ｌｉｇｈｔ  ｅｍｉｔｔｉｎｇ  ｄｉｏｄｅ；ＬＥＤ）自体は、体積が小さく、駆動電圧が低く、使用寿命が長く、環境保護に適するなどのメリットを有する。従って、発光ダイオード電球は、タングステンランプに次第に取って代わって広く用いられるようになる。通常の発光ダイオード電球は、下方向タイプと全方向タイプの２種類に分けられることができる。下方向タイプと全方向タイプの相違点は、発光角度にある。下方向タイプは、約１００度あまりの範囲にわたって照射できるが、全方向タイプは、約２００度あまりの範囲にわたって照射できる。従って、異なる発光角度の電球は、必要に応じて異なる場合に適用されることができる。
【０００３】
ところが、従来の発光ダイオード電球には、単一の照射範囲を有する全方向タイプ又は下方向タイプのものだけがある。使用者にとっては、同一の場合において異なる配光角度へ変更する必要がある時、切り替えのために、２倍のコストで異なる機能を備える２種類の電球を購買しなければならない。メーカーにとっては、２種類の異なる機能の電球の製作方法が多少異なっており、製造時、異なる機能の２種類の電球に対して製作しなければならない場合、製造コストが上昇してしまう。販売者にとっては、市場の要求を満たすために、異なる機能の２種類の電球を同時に販売する場合、販売コストの制御に不利である。
【発明の概要】
【発明が解決しようとする課題】
【０００４】
従って、上記問題を解決するように、発光ダイオード電球が望まれている。
【課題を解決するための手段】
【０００５】
従って、本発明の一態樣は、第１調整部材と第２調整部材の相対位置を変更することによって、光源モジュールのランプシェードにおける位置を変更することを達することができる発光ダイオード電球を提供する。これによって、発光ダイオード電球の配光形態を変更して、発光ダイオード電球が全方向タイプ又は下方向タイプに変換される目的を達することができる。
【０００６】
本発明の別の態樣は、発光ダイオード電球が発生した熱を直接にランプホルダーを介して第２調整部材に伝達して、更に外部へ伝達することができるため、良好な放熱効果を達することができる発光ダイオード電球を提供する。そして、熱伝導プラスチックが高放熱性及び絶縁特性を兼ね備えることで、使用者が引き取る時の感電又は火傷の問題を避けることができる。
【０００７】
本発明の上記目的によれば、軸心を有する発光ダイオード電球であって、第１調整部材及び第２調整部材を含むランプシェルと、第２調整部材に設けられ、且つ第２調整部材につれて軸心に沿って移動する光源モジュールと、ランプシェルの頂端に設けられ、光源モジュールに覆って設けられたランプシェードと、ランプシェルの底端に固定されたランプキャップと、を備え、第１調整部材は、少なくとも１つの第１係合構造、それぞれ第１係合構造の上下側にある第１作用面及び第２作用面を含み、第２調整部材は、軸心に沿って第１調整部材に対して移動して、第１位置又は第２位置に固定可能であり、第２調整部材は、第１係合構造に対応する少なくとも１つの第２係合構造を含み、前記第２係合構造は、第２調整部材が第１位置に固定された場合に第２作用面にぴったりと当接する上当接面と、第２調整部材が第２位置に固定された場合に第１作用面にぴったりと当接する下当接面とを有する、発光ダイオード電球を提供する。
【０００８】
本発明の一実施例によれば、前記第１作用面及び第２作用面の何れも、第１係合構造を離れる部分から第１係合構造に近づいた部分まで下へ向かって傾斜する斜面である。
【０００９】
本発明の他の実施例によれば、前記第１作用面及び第２作用面の何れも、第１係合構造を離れる部分から第１係合構造に近づいた部分まで下へ向かって傾斜する曲面である。
【００１０】
本発明の更に他の実施例によれば、前記第１係合構造は、凹溝であり、第２係合構造は、バンプである。
【００１１】
本発明の更に１つの実施例によれば、前記光源モジュールは、第２調整部材に固定されており、第２調整部材が第１位置に固定された場合に第１作用面に突き当たるフランジを有するランプホルダーと、ランプホルダーに設けられた少なくとも１つの発光ダイオードモジュールと、を含む。
【００１２】
本発明の更に１つの実施例によれば、前記第２調整部材は、延伸部を含み、第１調整部材は、環状構造であり、第１調整部材は、延伸部に覆設されている。
【００１３】
本発明の更に１つの実施例によれば、前記第１調整部材は、第１調整部材の外壁との間に収容空間が形成された止め壁を更に含み、ランプシェードの底縁が収容空間の中に設けられている。
【００１４】
本発明の更に１つの実施例によれば、前記第１係合構造は、止め壁に設けられている。
【００１５】
本発明の更に１つの実施例によれば、前記ランプホルダー及びランプキャップの材料は、金属である。
【００１６】
本発明の更に１つの実施例によれば、前記第１調整部材及び第２調整部材の材料は、熱伝導プラスチックである。
【図面の簡単な説明】
【００１７】
下記図面の簡単な説明は、本発明の前記または他の目的、特徴、メリット、実施例をより分かりやすくするためのものである。
【図１】本発明の一実施形態による発光ダイオード電球を示す斜視図である。
【図２】本発明の一実施形態による発光ダイオード電球を示す構造分解図である。
【図３Ａ】本発明の一実施形態による発光ダイオード電球の全周発光状態における斜視模式図である。
【図３Ｂ】本発明の一実施形態による発光ダイオード電球の全周発光状態における構造断面図である。
【図４Ａ】本発明の一実施形態による発光ダイオード電球の半周発光状態における斜視模式図である。
【図４Ｂ】本発明の一実施形態による発光ダイオード電球の半周発光状態における構造断面図である。
【発明を実施するための形態】
【００１８】
図１及び図２を参照されたい。図１及び図２は、それぞれ本発明の一実施形態による発光ダイオード電球を示す斜視図及び構造分解図である。本発明の発光ダイオード電球１００は、ランプシェル１１０と、光源モジュール１３０と、ランプシェード１５０と、ランプキャップ１７０と、駆動回路（図示せず）と、を備える。ランプシェード１５０は、ランプシェル１１０の頂端に設けられ、ランプキャップ１７０は、ランプシェル１１０の底端に固定され、ランプシェード１５０、ランプシェル１１０及びランプキャップ１７０が結合して通常の電球の外観となっている。駆動回路は、ランプシェル１１０内に設けられ、光源モジュール１３０及びランプキャップ１７０と電気的に接続されている。そして、ランプキャップ１７０は、主として、ランプホルダーの中にねじ入れることにより、電力を駆動回路に導通し、更に光源モジュール１３０を起動させて光源モジュール１３０を発光させることに用いられる。
【００１９】
図１及び図２を続いて参照されたい。発光ダイオード電球１００は、軸心Ｓ１を有する。ランプシェル１１０は、第１調整部材１１２及び第２調整部材１１４を含む。第２調整部材１１４は、軸心Ｓ１に沿って第１調整部材１１２に対して移動して、第１位置又は第２位置に固定されることができる。光源モジュール１３０は、第２調整部材１１４に設けられている。これによって、第２調整部材１１４の固定位置を調整することにより、光源モジュール１３０の位置を変更することができ、更に、発光ダイオード電球１００を全方向モード又は下方向モードに変換することができる。
【００２０】
一実施例において、第１調整部材１１２は、環状構造であってよく、第２調整部材１１４は、延伸部１１４ａを含む。従って、第１調整部材１１２は、延伸部１１４ａに覆設されてよい。第１調整部材１１２は、環形構造の内壁に設けられた少なくとも１つの係合構造１１２ａを含み、第２調整部材１１４は、延伸部１１４ａに設けられた別の係合構造１１４ｂを含む。第１調整部材１１２を延伸部１１４ａに覆設した場合、係合構造１１２ａ及び係合構造１１４ｂは、互いに位置合わせて係合することができる。
【００２１】
図１及び図２に示すように、第１調整部材１１２は、それぞれ係合構造１１２ａの上下側にある第１作用面１１２ｂ及び第２作用面１１２ｃを含む。例示的な一例において、第１調整部材１１２の内壁に凸壁１１２ｄが設けられており、係合構造１１２ａは、直接に凸壁１１２ｄに凹設された凹溝であってよく、凸壁１１２ｄの上、下表面は、それぞれ第１作用面１１２ｂ及び第２作用面１１２ｃと定義されてよい。それに対して、係合構造１１４ｂは、延伸部１１４ａから突出したバンプであってよく、係合構造１１４ｂは、上当接面１１５ａと下当接面１１５ｂとを有する。これによって、第２調整部材１１４が第１調整部材１１２に対して移動する場合、係合構造１１４ｂは、係合構造１１２ａの中に位置して凹溝状の係合構造１１２ａに沿って移動する。そして、光源モジュール１３０は、第２調整部材１１４に設けられているので、第２調整部材１１４につれて軸心Ｓ１に沿って移動することができる。
【００２２】
一実施例において、光源モジュール１３０は、直接に第２調整部材１１４に固定され、フランジ１３２ａを有するランプホルダー１３２と、ランプホルダー１３２に設けられた少なくとも１つの発光ダイオードモジュール１３４と、を含む。
【００２３】
また、図２、図３Ａ及び図３Ｂを併せて参照されたい。図３Ａ及び図３Ｂは、それぞれ本発明の一実施形態による発光ダイオード電球の全周発光状態における斜視模式図及び構造断面図である。図３Ａ及び図３Ｂに示すように、第２調整部材１１４が第１位置に固定された場合、係合構造１１４ｂの上当接面１１５ａは、第２作用面１１２ｃにぴったりと当接する。そして、第２調整部材１１４が第１位置に固定された場合、ランプホルダー１３２のフランジ１３２ａは、第１作用面１１２ｂに突き当たることができる。つまり、第２調整部材１１４が第１位置に固定された場合、ランプホルダー１３２のフランジ１３２ａにより、第２調整部材１１４が第１調整部材１１２から離れないようにすることができる。
【００２４】
一実施例において、第２作用面１１２ｃは、係合構造１１２ａを離れる部分から係合構造１１２ａに近づく部分まで下へ向かって傾斜する斜面又は曲面であってよい。つまり、この斜面及び曲面の係合構造１１２ａを離れる部分は、係合構造１１２ａに近づく部分よりも高い。この設計によって、係合構造１１４ｂが係合構造１１２ａにおいて係合構造１１４ｂの上当接面１１５ａと第２作用面１１２ｃが揃える位置まで移動した場合、軸心Ｓ１を中心として第２調整部材１１４を回転することで、上当接面１１５ａを第２作用面１１２ｃに迫らせることができ、更に第２調整部材１１４を図３Ａ及び図３Ｂに示すような第１位置に固定させる。このとき、光源モジュール１３０は、ランプシェード１５０の底縁１５０ａに近づく位置に位置するようになり、発光ダイオードモジュール１３４が発光する時、ランプシェード１５０の作用と合わせて発光ダイオード電球１００に全方向タイプの効果を発生させることができる。
【００２５】
また、図２、図４Ａ及び図４Ｂを併せて参照されたい。図４Ａ及び図４Ｂは、それぞれ本発明の一実施形態による発光ダイオード電球の全周発光状態における斜視模式図及び構造断面図である。第２調整部材１１４が第２位置に固定された場合、係合構造１１４ｂの下当接面１１５ｂは、第１作用面１１２ｂにぴったりと当接する。同様に、一実施例において、第１作用面１１２ｂは、係合構造１１２ａを離れる部分から係合構造１１２ａに近づく部分まで下へ向かって傾斜する斜面又は曲面であってよい。つまり、この斜面及び曲面の係合構造１１２ａを離れる部分は、係合構造１１２ａに近づく部分よりも高い。この設計によって、係合構造１１４ｂは、係合構造１１２ａにおいて係合構造１１４ｂの下当接面１１５ｂと第１作用面１１２ｂが揃える位置まで移動した場合、軸心Ｓ１を中心として第２調整部材１１４を回転することで、下当接面１１５ｂを第１作用面１１２ｂに迫らせることができ、更に第２調整部材１１４を図４Ａ及び図４Ｂに示すような第２位置に固定させる。このとき、光源モジュール１３０は、ランプシェード１５０における中央位置に位置するようになり、発光ダイオードモジュール１３４が発光する時、ランプシェード１５０の作用と合わせて発光ダイオード電球１００に下方向タイプの効果を発生させることができる。
【００２６】
これから分かるように、発光ダイオード電球１００を全方向モード（図３Ａ及び図３Ｂに示すように）から下方向モード（図４Ａ及び図４Ｂに示すように）に変換する操作については、次のように簡単に記述することができる。まず、第２調整部材１１４を回転して係合構造１１４ｂを係合構造１１２ａの方向へ移動させる。係合構造１１４ｂが係合構造１１２ａの真下に移動した場合、続いて、第２調整部材１１４を第１調整部材１１２へ推し進め、係合構造１１４ｂを、係合構造１１４ｂの下当接面１１５ｂと第１作用面１１２ｂが揃える位置に到着するまで、係合構造１１２ａに沿って移動させ、更に第２調整部材１１４を回転して下当接面１１５ｂを第１作用面１１２ｂに迫らせることにより、第２調整部材１１４を固定する目的を達する。
【００２７】
同様に、発光ダイオード電球１００を下方向モード（図４Ａ及び図４Ｂに示すように）から全方向モード（図３Ａ及び図３Ｂに示すように）に変換しようとする場合、再び第２調整部材１１４を回転して係合構造１１４ｂを係合構造１１２ａの方向へ移動させてよい。係合構造１１４ｂが係合構造１１２ａの真上に移動した場合、続いて、第２調整部材１１４を引っ張って第１調整部材１１２を離れる方向に移動させる。この場合にも、係合構造１１４ｂは同様に、係合構造１１４ｂの上当接面１１５ａと第２作用面１１２ｃが揃える位置に到着するまで、係合構造１１２ａに沿って移動し、更に第２調整部材１１４を回転して上当接面１１５ａを第２作用面１１２ｃに迫らせることにより、第２調整部材１１４を再び固定する目的を達する。
【００２８】
説明したいのは、前記実施例の係合構造１１２ａは凹溝であり、係合構造１１４ｂはバンプであるのは、１つの例示説明だけであることである。他の実施例において、係合構造１１２ａはバンプで、係合構造１１４ｂは凹溝であってもよい。なお、本実施例においては、係合構造１１２ａ及び１１４ｂの数が３つである場合により説明するが、他の実施例においては、係合構造１１２ａ及び１１４ｂの数及び形状は設計必要に応じて変更してもよい。
【００２９】
また、図１及び図２を併せて参照されたい。第１調整部材１１２は、止め壁１１２ｅを更に含む。本実施例において、凸壁１１２ｄ及び係合構造１１２ａは、直接に止め壁１１２ｅに設けられてよい。そして、止め壁１１２ｅと第１調整部材１１２の外壁の間に、収容空間１１２ｆが形成されている。この収容空間１１２ｆは、主として接着剤を充填することに用いられ、ランプシェード１５０の底縁１５０ａを収容空間１１２ｆの中に貼り付けることに寄与する。他の実施例において、ランプシェード１５０の底縁１５０ａは、係合の形態によって収容空間１１２ｆの中に係設されてもよい。
【００３０】
他の実施例において、ランプホルダー１３２及びランプキャップ１７０の材料は、金属であってよい。第１調整部材１１２及び第２調整部材１１４の材料は、熱伝導プラスチックであってよい。これによって、発光ダイオードモジュール１３４が発生した熱は、ランプホルダー１３２を介して直接に第２調整部材１１４に伝達されて、更に外部に伝達され、放熱効果を達することができる。一実施例において、第２調整部材１１４は、中空の柱体であってよく、その内部に駆動回路が配置可能な以外、第２調整部材１１４全体の熱伝導効果を向上させるように、熱伝導性接着剤が充填されてもよい。
【００３１】
上記本発明の実施形態から分かるように、本発明の発光ダイオード電球は、係合構造と作用面との係合関係を利用して、第１調整部材と第２調整部材の相対位置を変更して固定するものである。なお、光源モジュールは、第２調整部材に設けられている。そこで、光源モジュールは、第２調整部材につれて、ランプシェードの底縁に近づく又はランプシェードの中央の位置まで移動でき、更に発光ダイオード電球の配光形態を変更して、発光ダイオード電球が全方向タイプ又は下方向タイプに変換される目的を達することができる。従って、使用者は、異なる照射範囲の２種類の電球を購入する必要がなくなり、使用上にも便利である。更に、メーカー又は販売者にとって、２種類の照射範囲を有する単一形式の電球を製作又は販売すれば、製造又は販売コストを大幅に減少させることができる。
【００３２】
上記本発明の実施形態から分かるように、本発明の第１調整部材及び第２調整部材の材料は、熱伝導プラスチックであり、ランプホルダーの材料は、金属であり、ランプホルダーは、第２調整部材と結合するため、発光ダイオード電球が発生した熱を直接にランプホルダーを介して第２調整部材に伝達して、更に外部に伝達して、良好な放熱効果を達することができる。更に、熱伝導プラスチックが高放熱性及び絶縁特性を兼ね備えることによって、使用者が引き取る時の感電又は火傷の問題を避けることができる。
【００３３】
本発明の実施例を前述の通り開示したが、これは本発明を限定するものではなく、当業者であれば、本発明の精神と範囲から逸脱しない限り、多様の変更や修正を加えることができる。従って、本発明の技術的範囲は、後の特許請求の範囲に記載した内容を基準とする。
【符号の説明】
【００３４】
１００  発光ダイオード電球
１１０  ランプシェル
１１２  第１調整部材
１１２ａ  係合構造
１１２ｂ  第１作用面
１１２ｃ  第２作用面
１１２ｄ  凸壁
１１２ｅ  止め壁
１１２ｆ  収容空間
１１４  第２調整部材
１１４ａ  延伸部
１１４ｂ  係合構造
１１５ａ  上当接面
１１５ｂ  下当接面
１３０  光源モジュール
１３２  ランプホルダー
１３２ａ  フランジ
１３４  発光ダイオードモジュール
１５０  ランプシェード
１５０ａ  底縁
１７０  ランプキャップ
Ｓ１  軸心
【図１】
2015097189.tif 000003
【図２】
2015097189.tif 000004
【図３Ａ】
2015097189.tif 000005
【図３Ｂ】
2015097189.tif 000006
【図４Ａ】
2015097189.tif 000007
【図４Ｂ】
2015097189.tif 000008
【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
軸心を有する発光ダイオード電球であって、
第１調整部材及び第２調整部材を含むランプシェルと、
前記第２調整部材に設けられ、且つ前記第２調整部材とともに前記第１調整部材に対して前記軸心に沿って移動する光源モジュールと、
前記ランプシェルの頂端に設けられ、前記光源モジュールに覆って設けられたランプシェードと、
ランプシェルの底端に固定されたランプキャップと、
を備え、
前記第１調整部材は、少なくとも１つの第１係合構造、それぞれ前記少なくとも１つの第１係合構造の上下側にある第１作用面及び第２作用面を含み、
前記第２調整部材は、前記軸心に沿って前記第１調整部材に対して移動して、第１位置又は第２位置に固定可能であり、前記第２調整部材は、前記少なくとも１つの第１係合構造に対応する少なくとも１つの第２係合構造を含み、前記第２係合構造は、前記第２調整部材が前記第１位置に固定された場合に第２作用面にぴったりと当接する上当接面と、前記第２調整部材が前記第２位置に固定された場合に第１作用面にぴったりと当接する下当接面とを有し、
前記光源モジュールは、
前記第２調整部材に固定されており、前記第２調整部材が前記第１位置に固定された場合に前記第１作用面の上方に突き当たるフランジを有するランプホルダーと、
前記ランプホルダーに設けられた少なくとも１つの発光ダイオードモジュールと、
を含む、
発光ダイオード電球。
【請求項２】
前記第１作用面及び前記第２作用面の何れも、前記少なくとも１つの第１係合構造を離れる部分から前記少なくとも１つの第１係合構造に近づいた部分まで下へ向かって傾斜する斜面である、請求項１に記載の発光ダイオード電球。
【請求項３】
前記第１作用面及び前記第２作用面の何れも、前記少なくとも１つの第１係合構造を離れる部分から前記少なくとも１つの第１係合構造に近づいた部分まで下へ向かって傾斜する曲面である、請求項１に記載の発光ダイオード電球。
【請求項４】
前記少なくとも１つの第１係合構造は、凹溝であり、前記少なくとも１つの第２係合構造は、バンプである、請求項１に記載の発光ダイオード電球。
【請求項５】
前記第２調整部材は、延伸部を含み、前記第１調整部材は、環状構造であり、前記第１調整部材は、前記延伸部に覆設されている、請求項１に記載の発光ダイオード電球。
【請求項６】
前記第１調整部材は、前記第１調整部材の外壁との間に収容空間が形成された止め壁を更に含み、前記ランプシェードの底縁が前記収容空間の中に設けられている、請求項５に記載の発光ダイオード電球。
【請求項７】
前記少なくとも１つの第１係合構造は、前記止め壁に設けられている、請求項６に記載の発光ダイオード電球。
【請求項８】
前記ランプホルダー及び前記ランプキャップの材料は、金属である、請求項１に記載の発光ダイオード電球。
【請求項９】
前記第１調整部材及び前記第２調整部材の材料は、熱伝導プラスチックである、請求項１に記載の発光ダイオード電球。